(57)【要約】  増強型アップリンクランダムアクセスを制御できる時分割同期符号分割多重接続システムであって、クライアント端末と、ノードＢと、サービング無線ネットワークコントローラとを含む。また、時分割同期符号分割多重接続システム増強型アップリンクランダムアクセスの制御方法であって、時分割同期符号分割多重接続システムの高速上がり方向グループアクセススケジューリングサービスにおいて、ネットワーク側上位層はクライアント端末側にタイマーを配置することと、クライアント端末は１回の授権適用時間に達した後にデータの伝送がまだ必要である時、増強型アップリンクランダムアクセスの遅延時間として前記のタイマーを起動させることを含む。本発明は、ネットワーク側のＥ−ＤＣＨリソースに対する把握能力に基づき、ＵＥが１回の授権の後に増強型アップリンクランダムアクセスを行う時間遅延を制御し、無用なランダムアクセスを防ぐと共に、増強型アップリンクランダムアクセスの信頼性メカニズムを提供する。本方法によれば、システムリソースを適切に利用でき、システム動作効率を大幅に向上させる。【選択図】なし
2009545216.tif 000002
【特許請求の範囲】
【請求項１】
時分割同期符号分割多重接続システム増強型アップリンクランダムアクセスの制御方法であって、
時分割同期符号分割多重接続システムの高速上がり方向グループアクセススケジューリングサービスにおいて、ネットワーク側上位層は、クライアント端末側にタイマーを配置することと、クライアント端末は、１回の授権適用時間に達した後にデータの伝送がまだ必要である時、増強型アップリンクランダムアクセスの遅延時間として前記のタイマーを起動させることを特徴とする時分割同期符号分割多重接続システム増強型アップリンクランダムアクセスの制御方法。
【請求項２】
タイマーがタイムオーバーする前にノードＢの授権情報を受信すると、データーの伝送を続け、さもなければタイマーがタイムオーバーする時に、増強型アップリンクランダムアクセス上がり方向制御チャンネルのランダムアクセスを行うことをさらに含むことを特徴とする請求項１に記載の時分割同期符号分割多重接続システム増強型アップリンクランダムアクセスの制御方法。
【請求項３】
具体的に、
ａ、ネットワーク側は、クライアント端末側に対して１つのタイマーを配置し、
ｂ、クライアント端末は、ノードＢの授権情報に基づき新たなデーターを送信し、絶対授権が適用な最後の１つの伝送時間間隔のデーターが送信された後に、クライアント端末は前記のタイマーを起動させ、
ｃ、前記のタイマーがタイムオーバーする前に、クライアント端末がノードＢの授権情報を受信すると、該当タイマーを停止させてリセットし、ステップｂに戻り、前記のタイマーがタイムオーバーする時に、増強型アップリンクランダムアクセス上がり方向制御チャンネルのランダムアクセスを発し、ノードＢへスケジューリング情報を送信し、前記のタイマーをリセットして停止させることを含むことを特徴とする請求項２に記載の時分割同期符号分割多重接続システム増強型アップリンクランダムアクセスの制御方法。
【請求項４】
前記のステップａにおいて、前記のネットワーク側はサービング無線ネットワークコントローラ或いはノードＢであることを特徴とする請求項３に記載の時分割同期符号分割多重接続システム増強型アップリンクランダムアクセスの制御方法。
【請求項５】
前記のステップａにおいて、前記のタイマー値がサービング無線ネットワークコントローラにより配置されると、サービング無線ネットワークコントローラは、セルにおける増強型アップリンクのリソース数と統計クライアント数とに基づき、前記のタイマー値を設置することを特徴とする請求項４に記載の時分割同期符号分割多重接続システム増強型アップリンクランダムアクセスの制御方法。
【請求項６】
前記のステップａにおいて、前記のタイマー値がノードＢにより配置され、且つ増強型上がり方向物理チャンネルの同期命令がＥ−ＡＧＣＨチャンネルにより積載される時に、前記のタイマー値の最大限は同期命令の最大間隔時間であることを特徴とする請求項４に記載の時分割同期符号分割多重接続システム増強型アップリンクランダムアクセスの制御方法。
【請求項７】
前記のタイマー値がノードＢにより配置されると、ノードＢはサービング無線ネットワークコントローラによって該当タイマー値をクライアント端末へ転送することを特徴とする請求項４に記載の時分割同期符号分割多重接続システム増強型アップリンクランダムアクセスの制御方法。
【請求項８】
前記のステップｂにおいて、クライアント端末がノードＢの授権情報に基づき新たなデーターを送信する時に、増強型アップリンク専用伝送チャンネルに対応するロジックチャンネルバッファー領域において、送信される必要のあるデーターがまだあると、補助スケジューリング情報を携帯することが可能であることを特徴とする請求項３に記載の時分割同期符号分割多重接続システム増強型アップリンクランダムアクセスの制御方法。
【請求項９】
ステップｃにおいて、クライアント端末が増強型アップリンクランダムアクセス上がり方向制御チャンネルのランダムアクセスを行うこととは、ノードＢの授権を受信するまで、増強型アップリンクランダムアクセス上がり方向制御チャンネルのランダムアクセスを周期的にトリガーすることであることを特徴とする請求項３に記載の時分割同期符号分割多重接続システム増強型アップリンクランダムアクセスの制御方法。
【請求項１０】
ステップｃにおいて、クライアント端末が増強型アップリンクランダムアクセス上がり方向制御チャンネルのランダムアクセスを行うこととは、トリガー回数が最大試し回数を超えるまたはノードＢの授権を受信するまで、増強型アップリンクランダムアクセス上がり方向制御チャンネルのランダムアクセスを周期的にトリガーすることであることを特徴とする請求項３に記載の時分割同期符号分割多重接続システム増強型アップリンクランダムアクセスの制御方法。
【請求項１１】
クライアント端末と、ノードＢと、サービング無線ネットワークコントローラとを含み、増強型アップリンクランダムアクセスを制御できる時分割同期符号分割多重接続システムであって、
前記のクライアント端末は、１つのタイマーを含み、前記のクライアント端末は、１回の授権適用時間に達した後にデータの伝送がまだ必要である時に前記のタイマーを起動させるために利用されることと、また、タイマーがタイムオーバーする前にノードＢの授権情報が受信された時にデーターの伝送を続けることと、さもなければ、タイマーがタイムオーバーする時に増強型アップリンクランダムアクセス上がり方向制御チャンネルのランダムアクセスを行うためにも利用されることを特徴とする増強型アップリンクランダムアクセスを制御できる時分割同期符号分割多重接続システム。
【請求項１２】
前記のサービング無線ネットワークコントローラは、セルにおける増強型アップリンクのリソース数と統計クライアント数とに基づき前記のタイマー値を設置し、該当値を無線積載設立或いは無線積載再配置命令に含んでクライアント端末へ送信するために利用され、前記のクライアント端末は、該当値に従い前記のタイマーを配置するために利用されることを特徴とする請求項１１に記載の増強型アップリンクランダムアクセスを制御できる時分割同期符号分割多重接続システム。
【請求項１３】
前記のノードＢは、前記のタイマーの値を設置して、サービング無線ネットワークコントローラにフィード・バックされる応答メッセージに携帯するために利用されることと、前記のサービング無線ネットワークコントローラは、前記の無線積載設立或いは無線積載再配置命令において該当情報をクライアント端末へ転送するために利用されることと、前記のライアント端末は、該当値に従い、前記のタイマーを配置するために利用されることを特徴とする請求項１１に記載の増強型アップリンクランダムアクセスを制御できる時分割同期符号分割多重接続システム。
【請求項１４】
クライアント端末が増強型アップリンクランダムアクセス上がり方向制御チャンネルのランダムアクセスを行うこととは、ノードＢの授権を受信するまで、クライアント端末が増強型アップリンクランダムアクセス上がり方向制御チャンネルのランダムアクセスを周期的にトリガーすることであることを特徴とする請求項１１に記載の増強型アップリンクランダムアクセスを制御できる時分割同期符号分割多重接続システム。
【請求項１５】
クライアント端末が増強型アップリンクランダムアクセス上がり方向制御チャンネルのランダムアクセスを行うこととは、トリガー回数が最大試し回数を超えるまたはノードＢの授権を受信するまで、クライアント端末が増強型アップリンクランダムアクセス上がり方向制御チャンネルのランダムアクセスを周期的にトリガーすることであることを特徴とする請求項１１に記載の増強型アップリンクランダムアクセスを制御できる時分割同期符号分割多重接続システム。
【発明の詳細な説明】
【技術分野】
【０００１】
本発明は無線通信分野に関し、特に時分割同期符号分割多重接続システム及びそれにおける増強型アップリンクランダムアクセスの制御方法に関する。
【背景技術】
【０００２】
２００６年３月に、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ、第３世代移動体通信システムの標準化プロジェクト）はＴＤ―ＳＣＤＭＡ（時分割同期符号分割多重接続）システム増強型アップリンクのプロジェクト設立申請を採択した。増強型アップリンクは一般的にＨＳＵＰＡ（Ｈｉｇｈ  Ｓｐｅｅｄ  Ｕｐｌｉｎｋ  Ｐａｃｋｅｔ  Ａｃｃｅｓｓ、高速アップリンクパケットアクセス）といい、進んだ技術によりアップリンクの効率を向上させることによって、効率的にｗｅｂブラウス、ビデオ、マルチメディア情報及びＩＰによる他のサービスをサポートすることを目的とする。
【０００３】
現在、３ＧＰＰのＴＤ―ＳＣＤＭＡ上がり方向増強技術において、完全な技術レポートが形成されていないが、基本的な技術体系が明らかになり、３ＧＰＰの５月上海会議の提案と会議レポートが参考にされるが、本発明に関する技術体系は以下のように記載される。ＨＳＵＰＡにおいて、伝送チャンネルＥ−ＤＣＨ（増強型アップリンク専用伝送チャンネル）が１つ新たに追加される。増強型上がり方向データは当該伝送チャンネルに積載され、Ｅ−ＤＣＨのＴＴＩ（伝送時間間隔）が５ｍｓである。
【０００４】
Ｅ−ＤＣＨと合わせる物理チャンネルは、Ｎｏｄｅ  Ｂ（ノードＢ）により授権情報を伝送するための制御チャンネルであるＥ−ＡＧＣＨチャンネル（Ｅ−ＤＣＨ絶対授権チャンネル）と、サービスチャンネルで、ＵＥ（Ｕｓｅｒ  Ｅｑｕｉｐｍｅｎｔ、クライアント端末）によりＥ−ＤＣＨ型の符号化組合伝送チャンネルを積載することに利用され、補助スケジューリングに関する情報も伝送されるＥ−ＰＵＣＨチャンネル（Ｅ−ＤＣＨ上がり方向物理チャンネル、又、増強型上がり方向物理チャンネルともいう）と、ＵＥは授権がない場合に、補助スケジューリングに関する情報を伝送するための物理層制御チャンネルであり、ランダムアクセス物理チャンネルリソースを利用するＥ−ＲＵＣＣＨ（Ｅ−ＤＣＨランダムアクセス制御チャンネル、即ち、増強型アップリンクランダムアクセス上がり方向制御チャンネル）と、Ｎｏｄｅ  ＢによりＨＡＲＱ（ハイブリッド自動再送要求）指示情報を携帯するための物理層制御チャンネルであるＥ−ＨＩＣＨ（Ｅ−ＤＣＨハイブリッド自動再送要求指示チャンネル）とを含む。
【０００５】
ＨＳＵＰＡサービスは、スケジューリング方式によってスケジューリングサービスと非スケジューリングサービスとに分けられる。その非スケジューリングサービスのリソースは、ＳＲＮＣ（サービング無線ネットワークコントローラ）によりＵＥに対して割り当て、割当方式が従来の専用チャンネル割当方式と同じである。スケジューリングサービスにおいて、ＳＲＮＣによりＮｏｄｅ  Ｂに対して増強型アップリンクリソースプールを割り当て、Ｎｏｄｅ  ＢによりＵＥ毎にリソースを割り当て、Ｎｏｄｅ  ＢはＥ−ＡＧＣＨチャンネルによって工率授権情報と物理チャンネル授権情報とを含む絶対授権情報をＵＥへ送信する。工率授権情報は、各競争ＵＥの間に、利用可能なシステム妨害リソースを割り当てるためのものである。物理チャンネル授権情報は、各競争ＵＥの間に、Ｅ−ＰＵＣＨに使用されたタイムスロットとコードリソースを割当るためのものである。１本のＥ−ＡＧＣＨにおける授権情報は、１回に１つのＵＥのみに使用させ、授権が適用な最低継続時間が１つのＥ−ＤＣＨ  ＴＴＩである。ＲＤＩ（リソース継続時間指示）を利用することによって、長さ変更可能な授権をサポートしてもよい。例えば、ＲＤＩは、次の８つのＴＴＩにおいて該当授権リソースを使用することをＵＥへ指示することが可能である。ＵＥは、ネットワーク上位層によりＵＥに対して配置された１グループのＥ−ＡＧＣＨチャンネルを傍受する。ＵＥは、デコーディングが完成された場合、その中にある授権情報を読み取り、プロトコルに規定されたタイミングタイムｎＥ−ＡＧＣＨの後に、授権されたＥ−ＰＵＣＨチャンネルによってデーターを送信する。Ｎｏｄｅ  Ｂは、受信されたＥ−ＰＵＣＨチャンネルデーターをデコーディングし、デコーディングが成功した後に、Ｅ−ＨＩＣＨチャンネルにおいてＡＣＫをフィード・バックする。成功していない場合、ＮＡＣＫをフィード・バックし、この時、ＵＥは再送メカニズムに従い再送処理を行う必要がある。
【０００６】
スケジューリングサービスにおいて、ＵＥは、Ｎｏｄｅ  Ｂのスケジューリングを補助するように、ＵＥバッファー領域情報と、工率余り量と、本セル及び隣接のセルのチャンネルロス測定情報などを含む幾つかの情報を報告する必要がある。ＵＥは授権されたＥ−ＰＵＣＨがある時に、補助スケジューリング情報はＥ−ＰＵＣＨチャンネルによって送信されることになる。授権を享有していない時に、Ｅ−ＲＵＣＣＨチャンネルによって送信されることになる。ＵＥは送信される必要のある上がり方向データーを有する時に、補助スケジューリング情報の送信をトリガーすることが可能である。授権情報は、ＴＴＩ毎にＵＥへ送信されることではなく、完全にＮｏｄｅ  Ｂのスケジューリング機能エンティティにより、この時点のネットワーク状況と各競争ＵＥの優先度状況に従い、送信するか否か/いつ送信するかを決定する。
【０００７】
ＨＳＵＰＡスケジューリングサービスの動作プロセスは図１に示すように、ステップ１０１の前に、ＵＥとＳＲＮＣはＲＲＣ（無線リソース制御）接続を設立し、それにおいて、ＵＥの接続原因はグループサービスを行うことである。図１における各ステップについて、具体的に以下のように説明する。
【０００８】
１０１：ＳＲＮＣは、受け入れ制御プロセスを介して、該当ＵＥに対して増強型アップリンクを設立することが可能だと認知し、ＮＢＡＰ（ノードＢアプリケーションプロトコル）プロトコルによって、例えば伝送チャンネルに関する情報やＥ−ＤＣＨサービング無線リンク番号等のような、増強型上がり方向アクセスに関するパラメーターを含む無線リンク設立プロセスをＮｏｄｅ  Ｂに対して発する。この前に該当ＵＥに対して既に無線リンクを設立した場合、無線リンク再配置プロセスによって増強型上がり方向パラメーターの配置を行うことになる。
【０００９】
１０２：Ｎｏｄｅ  Ｂは、配置パラメーターを受信し、該当セルの増強型上がり方向公共リソースプールから、該当ＵＥに対してＥ−ＡＧＣＨチャンネルとＥ−ＲＮＴＩ（Ｅ−ＤＣＨ無線リンク仮標記）を割り当て、ＮＢＡＰの無線リンク設立応答或いは無線リンク再配置応答によってＳＲＮＣへフィード・バックする。
【００１０】
１０３：ＳＲＮＣは、ＲＲＣプロトコルによって、Ｅ−ＤＣＨ伝送チャンネル配置情報と、Ｅ−ＰＵＣＨに関する情報と、Ｅ−ＡＧＣＨチャンネル情報と、Ｅ−ＨＩＣＨチャンネル情報等を有する無線積載設立命令をＵＥに対して発する。この前に無線積載設立プロセスが既にあった場合、無線積載再配置プロセスによって増強型上がり方向アクセスに関する配置を行うことになる。
【００１１】
１０４：ＵＥは、配置パラメーターを受信し、ネットワーク側へ応答メッセージをフィード・バックする。配置パラメーターに基づき、Ｅ−ＤＣＨ伝送サービスが利用可能になることを確定する。
【００１２】
１０５：ＵＥ  Ｅ−ＤＣＨに対応するロジックチャンネルバッファー領域におけるデーター量が０から０ではない値になる時に、ＵＥはＥ−ＲＵＣＣＨランダムアクセスプロセスを発し、補助スケジューリング情報を携帯する。
【００１３】
１０６：Ｎｏｄｅ  Ｂは、該当ＵＥのランダムアクセス要求を検出すると、Ｅ−ＤＣＨリソースを利用する競争ＵＥグループにＵＥを加え、セルリソース状況と、ＵＥの増強型上がり方向無線積載のＱＯＳ属性と、ＵＥ補助スケジューリング情報等に基づき、該当ＵＥに対してスケジューリングを行い、適切なリソースを割り当てた後に、Ｅ−ＡＧＣＨチャンネルによってＵＥへ授権情報を送信する。
【００１４】
１０７：ＵＥは、Ｅ−ＡＧＣＨを受信した後に、プロトコルに規定されたタイミングタイムｎＥ−ＡＧＣＨの後に、授権されたＥ−ＰＵＣＨによってデーターを送信する。ＵＥバッファ領域において、伝送されるのを待っているデーターがある場合、補助スケジューリング情報もそれと共に送信されることになる。
【００１５】
１０８：Ｎｏｄｅ  Ｂは、Ｅ−ＰＵＣＨチャンネルにおけるデーターをデコーディングし、Ｅ−ＨＩＣＨチャンネルにおいてＡＣＫ/ＮＡＣＫ情報をフィード・バックする。
【００１６】
１０９：直前のＥ−ＡＧＣＨの授権適用時間に既に達した場合、Ｎｏｄｅ  Ｂはスケジューリング方針に従い、該当ＵＥに対してリソースを割り当て続け、Ｅ−ＡＧＣＨチャンネルによって授権情報を送信する。
【００１７】
１１０〜１１１：ステップ１０７及び１０８とは同じである。
【００１８】
１１２：ＵＥバッファー領域において、送信される必要のあるデーターがまだあるが、この時点に授権情報がない場合、Ｅ−ＲＵＣＣＨによってリソースを申し込む。
【００１９】
２つの確定的なタイムシーケンス関係がある。それにおいて、ｎＥ−ＡＧＣＨは、プロトコルに確定され、Ｅ−ＡＧＣＨとその後のＥ−ＰＵＣＨの１つ目のタイムスロットとの間のタイミング間隔である。ｎＥ−ＨＩＣＨは、Ｎｏｄｅ  Ｂに選択され、１つのＥ−ＤＣＨ  ＴＴＩにおける最後の１つのＥ−ＰＵＣＨタイムスロットと相応なＥ−ＨＩＣＨとの間のタイミングタイム間隔であり、ＳＲＮＣによってＵＥに対して配置される。
【００２０】
現在の問題点は、スケジューリングサービスにおいて、１回のＥ−ＡＧＣＨ授権が適当な時間に達した後に、ＵＥは送信される必要のあるデーターを有するが、この時にＮｏｄｅ  Ｂは該当ＵＥに割り当てることに適切なリソーススケジューリングを有しておらず、即ち、ＵＥは次のＥ−ＡＧＣＨを時限内受信していない場合、直ちにＥ−ＲＵＣＣＨ（増強型アップリンクランダムアクセス上がり方向制御チャンネル）によって補助スケジューリング情報を送信するか、或いは、Ｅ−ＡＧＣＨチャンネルを傍受し続けるかである。Ｅ−ＲＵＣＣＨはランダムアクセス物理チャンネルである。ＴＤ−ＳＣＤＭＡにおいて、ランダムアクセスは上がり方向同期プロセスを介することが必要である。上がり方向同期化プロセスは、ＵｐＰＴＳ（上がり方向パイロットタイムスロット）に上がり方向同期コードを送信して、相応なＦＰＡＣＨ（高速物理アクセスチャンネル）チャンネルにおいてタイミングと工率調整情報とを受信することによって完成され、具体的に、３ＧＰＰ  ＴＳ２５．２２４プロトコルを参考できるが、アクセスプロセスが複雑である。しかも、Ｅ−ＲＵＣＣＨは公共チャンネルであり、競争衝突の可能性がある。頻繁的にＥ−ＲＵＣＣＨアクセスを発すると、ネットワークリソースの無駄遣いになる以上、ＵＥにおいて工率の異常な消耗にもなる。また、Ｎｏｄｅ  Ｂはスケジューリングに適切なリソースを有していない時に、直ちにＥ−ＲＵＣＣＨを送信しても、応答を得ることができない。
【００２１】
また、Ｅ−ＲＵＣＣＨチャンネルの競争性のため、ノードＢが正確的に端末のスケジューリング要求を受信できることを確保するようにＥ−ＲＵＣＣＨチャンネルの信頼性伝送メカニズムを考える必要もある。
【発明の概要】
【発明が解決しようとする課題】
【００２２】
本発明は、上記の問題点に鑑み、クライアント端末が１回の授権伝送を行った後に、リソースを申し込み続けて増強型アップリンクランダムアクセスの制御及びランダムアクセスの信頼性制御を行うことを含む時分割同期符号分割多重接続システム及びその高速上がり方向グループアクセススケジューリングサービスにおける増強型上がり方向ランダムアクセスの制御方法を提供する。該当方法はシステム動作効率を大幅に向上させる。
【課題を解決するための手段】
【００２３】
請求項１記載の発明は、
時分割同期符号分割多重接続システム増強型アップリンクランダムアクセスの制御方法であって、時分割同期符号分割多重接続システムの高速上がり方向グループアクセススケジューリングサービスにおいて、ネットワーク側上位層は、クライアント端末側にタイマーを配置することと、クライアント端末は、１回の授権適用時間に達した後にデータの伝送がまだ必要である時、増強型アップリンクランダムアクセスの遅延時間として前記のタイマーを起動させることを特徴とする時分割同期符号分割多重接続システム増強型アップリンクランダムアクセスの制御方法である。
【００２４】
請求項２記載の発明は、
タイマーがタイムオーバーする前にノードＢの授権情報を受信すると、データーの伝送を続け、さもなければタイマーがタイムオーバーする時に、増強型アップリンクランダムアクセス上がり方向制御チャンネルのランダムアクセスを行うことをさらに含むことを特徴とする請求項１に記載の時分割同期符号分割多重接続システム増強型アップリンクランダムアクセスの制御方法である。
【００２５】
請求項３記載の発明は、
具体的に、
ａ、ネットワーク側は、クライアント端末側に対して１つのタイマーを配置し、
ｂ、クライアント端末は、ノードＢの授権情報に基づき新たなデーターを送信し、絶対授権が適用な最後の１つの伝送時間間隔のデーターが送信された後に、クライアント端末は前記のタイマーを起動させ、
ｃ、前記のタイマーがタイムオーバーする前に、クライアント端末がノードＢの授権情報を受信すると、該当タイマーを停止させてリセットし、ステップｂに戻り、前記のタイマーがタイムオーバーする時に、増強型アップリンクランダムアクセス上がり方向制御チャンネルのランダムアクセスを発し、ノードＢへスケジューリング情報を送信し、前記のタイマーをリセットして停止させることを含むことを特徴とする請求項２に記載の時分割同期符号分割多重接続システム増強型アップリンクランダムアクセスの制御方法である。
【００２６】
請求項４記載の発明は、
前記のステップａにおいて、前記のネットワーク側はサービング無線ネットワークコントローラ或いはノードＢであることを特徴とする請求項３に記載の時分割同期符号分割多重接続システム増強型アップリンクランダムアクセスの制御方法である。
【００２７】
請求項５記載の発明は、
前記のステップａにおいて、前記のタイマー値がサービング無線ネットワークコントローラにより配置されると、サービング無線ネットワークコントローラは、セルにおける増強型アップリンクのリソース数と統計クライアント数とに基づき、前記のタイマー値を設置することを特徴とする請求項４に記載の時分割同期符号分割多重接続システム増強型アップリンクランダムアクセスの制御方法である。
【００２８】
請求項６記載の発明は、
前記のステップａにおいて、前記のタイマー値がノードＢにより配置され、且つ増強型上がり方向物理チャンネルの同期命令がＥ−ＡＧＣＨチャンネルにより積載される時に、前記のタイマー値の最大限は同期命令の最大間隔時間であることを特徴とする請求項４に記載の時分割同期符号分割多重接続システム増強型アップリンクランダムアクセスの制御方法である。
【００２９】
請求項７記載の発明は、
前記のタイマー値がノードＢにより配置されると、ノードＢはサービング無線ネットワークコントローラによって該当タイマー値をクライアント端末へ転送することを特徴とする請求項４に記載の時分割同期符号分割多重接続システム増強型アップリンクランダムアクセスの制御方法である。
【００３０】
請求項８記載の発明は、
前記のステップｂにおいて、クライアント端末がノードＢの授権情報に基づき新たなデーターを送信する時に、増強型アップリンク専用伝送チャンネルに対応するロジックチャンネルバッファー領域において、送信される必要のあるデーターがまだあると、補助スケジューリング情報を携帯することが可能であることを特徴とする請求項３に記載の時分割同期符号分割多重接続システム増強型アップリンクランダムアクセスの制御方法である。
【００３１】
請求項９記載の発明は、
ステップｃにおいて、クライアント端末が増強型アップリンクランダムアクセス上がり方向制御チャンネルのランダムアクセスを行うこととは、ノードＢの授権を受信するまで、増強型アップリンクランダムアクセス上がり方向制御チャンネルのランダムアクセスを周期的にトリガーすることであることを特徴とする請求項３に記載の時分割同期符号分割多重接続システム増強型アップリンクランダムアクセスの制御方法である。
【００３２】
請求項１０記載の発明は、
ステップｃにおいて、クライアント端末が増強型アップリンクランダムアクセス上がり方向制御チャンネルのランダムアクセスを行うこととは、トリガー回数が最大試し回数を超えるまたはノードＢの授権を受信するまで、増強型アップリンクランダムアクセス上がり方向制御チャンネルのランダムアクセスを周期的にトリガーすることであることを特徴とする請求項３に記載の時分割同期符号分割多重接続システム増強型アップリンクランダムアクセスの制御方法である。
【００３３】
請求項１１記載の発明は、
クライアント端末と、ノードＢと、サービング無線ネットワークコントローラとを含み、増強型アップリンクランダムアクセスを制御できる時分割同期符号分割多重接続システムであって、
前記のクライアント端末は、１つのタイマーを含み、前記のクライアント端末は、１回の授権適用時間に達した後にデータの伝送がまだ必要である時に前記のタイマーを起動させるために利用されることと、また、タイマーがタイムオーバーする前にノードＢの授権情報が受信された時にデーターの伝送を続けることと、さもなければ、タイマーがタイムオーバーする時に増強型アップリンクランダムアクセス上がり方向制御チャンネルのランダムアクセスを行うためにも利用されることを特徴とする増強型アップリンクランダムアクセスを制御できる時分割同期符号分割多重接続システムである。
【００３４】
請求項１２記載の発明は、
前記のサービング無線ネットワークコントローラは、セルにおける増強型アップリンクのリソース数と統計クライアント数とに基づき前記のタイマー値を設置し、該当値を無線積載設立或いは無線積載再配置命令に含んでクライアント端末へ送信するために利用され、前記のクライアント端末は、該当値に従い前記のタイマーを配置するために利用されることを特徴とする請求項１１に記載の増強型アップリンクランダムアクセスを制御できる時分割同期符号分割多重接続システムである。
【００３５】
請求項１３記載の発明は、
前記のノードＢは、前記のタイマーの値を設置して、サービング無線ネットワークコントローラにフィード・バックされる応答メッセージに携帯するために利用されることと、前記のサービング無線ネットワークコントローラは、前記の無線積載設立或いは無線積載再配置命令において該当情報をクライアント端末へ転送するために利用されることと、前記のライアント端末は、該当値に従い、前記のタイマーを配置するために利用されることを特徴とする請求項１１に記載の増強型アップリンクランダムアクセスを制御できる時分割同期符号分割多重接続システムである。
【００３６】
請求項１４記載の発明は、
クライアント端末が増強型アップリンクランダムアクセス上がり方向制御チャンネルのランダムアクセスを行うこととは、ノードＢの授権を受信するまで、クライアント端末が増強型アップリンクランダムアクセス上がり方向制御チャンネルのランダムアクセスを周期的にトリガーすることであることを特徴とする請求項１１に記載の増強型アップリンクランダムアクセスを制御できる時分割同期符号分割多重接続システムである。
【００３７】
請求項１５記載の発明は、
クライアント端末が増強型アップリンクランダムアクセス上がり方向制御チャンネルのランダムアクセスを行うこととは、トリガー回数が最大試し回数を超えるまたはノードＢの授権を受信するまで、クライアント端末が増強型アップリンクランダムアクセス上がり方向制御チャンネルのランダムアクセスを周期的にトリガーすることであることを特徴とする請求項１１に記載の増強型アップリンクランダムアクセスを制御できる時分割同期符号分割多重接続システムである。
【発明の効果】
【００３８】
本発明は、ネットワーク側のＥ−ＤＣＨリソースに対する把握能力に基づき、ＵＥが１回の授権の後に増強型アップリンクランダムアクセスを行う時間遅延を制御し、無用なランダムアクセスを防ぐと共に、増強型アップリンクランダムアクセスの信頼性メカニズムを提供する。本方法によれば、システムリソースを適切に利用でき、システム動作効率を大幅に向上させる。
【図面の簡単な説明】
【００３９】
【図１】従来の増強型アップリンク配置及びデーター送信のフローチャートである。
【図２】本発明のＴＤ−ＳＣＤＭＡシステムにおける増強型アップリンクランダムアクセスの制御方法の具体的な実施例のフローチャートである。
【図３】本発明に係る方法のシグナル配置及びデーター送信のフローチャートである。
【発明を実施するための形態】
【００４０】
本発明は、ＵＥが無効なランダムアクセスを行うことを防ぐことができるＨＳＵＰＡスケジューリングサービスにおける増強型アップリンクランダムアクセスの方法を提供する。以下は、ＴＤ−ＳＣＤＭＡシステムを例として説明する。図２に示すように、以下のようなステップを含む。
【００４１】
ステップ１：ネットワーク側がＵＥに対してＥ−ＤＣＨ型の無線リソースを配置する時に、ＵＥに対して１つのタイマーＴ＿ＷＡＩＴを配置する。該当Ｔ＿ＷＡＩＴは、ＵＥが１回のＥ−ＡＧＣＨ授権期間に達し、且つ伝送される必要のあるデーターがまだある時にランダムアクセスを行う遅延時間を制御するためのものである。該当タイマー値Ｔ＿ＷＡＩＴは、ネットワーク側によりＵＥのためにＥ−ＤＣＨ型の無線リソースを設立する或いは再配置する時に配置される。前記のネットワーク側は、サービング無線ネットワークコントローラ或いはノードＢである。
【００４２】
Ｔ＿ＷＡＩＴタイマーは、クライアントが無意味で、頻繁的なランダムアクセスを行い、ネットワークリソースを無駄遣いすることを防ぐために利用されるので、その配置はネットワーク側のスケジューリング頻度と一致させる必要がある。２つの方案があり、それぞれは以下のように記載される。
【００４３】
方案１：Ｔ＿ＷＡＩＴタイマーはＳＲＮＣにより配置され、ＳＲＮＣはＵＥが位置するサービングセルのＨＳＵＰＡリソース数と統計クライアント数に基づき、Ｔ＿ＷＡＩＴタイマー値の大きさ、即ちタイミングタイムの長さを推測する。Ｔ＿ＷＡＩＴタイマーは、Ｎｏｄｅ  Ｂの１つのＵＥに対するスケジューリングの平均頻度を表す。下記のテーブル１はＴ＿ＷＡＩＴのパラメーター配置状況であり、“存在”というコラムにおける“Ｍ”は該当要素が必要であることを示す。ＲＲＣプロトコルにおいて、該当要素は無線積載配置/再配置や、物理リソース配置/再配置に関するプロセスに存在し、ＣＥＬＬ  ＵＰＤＡＴＥ  ＣＯＮＦＩＲＭ（セル更新確認）と、ＰＨＹＳＩＣＡＬ  ＣＨＡＮＮＥＬ  ＲＥＣＯＮＦＩＧＵＲＡＴＩＯＮ（物理チャンネル再配置）と、ＲＡＤＩＯ  ＢＥＡＲＥＲ  ＲＥＣＯＮＦＩＧＵＲＡＴＩＯＮ（無線積載再配置）と、ＲＡＤＩＯ  ＢＥＡＲＥＲ  ＲＥＬＥＡＳＥ（無線積載リリース）と、ＲＡＤＩＯ  ＢＥＡＲＥＲ  ＳＥＴＵＰ（無線積載設立）と、ＲＲＣ  ＣＯＮＮＥＣＴＩＯＮ  ＳＥＴＵＰ（無線リソース制御接続設立）と、ＴＲＡＮＳＰＯＲＴ  ＣＨＡＮＮＥＬ  ＲＥＣＯＮＦＩＧＵＲＡＴＩＯＮ（積載チャンネル再配置）のような無線リソース制御メッセージ（ＲＲＣメッセージ）を含む。
【００４４】
【表１】
2009545216.tif 000003
【００４５】
方案２：Ｔ＿ＷＡＩＴタイマーは、ノードＢにより配置される。ノードＢはＥ−ＤＣＨリソースのスケジューリング制御権を有するので、この時点のセルのＨＳＵＰＡのリソース状況とクライアント数と妨害状況等の情報を把握している。ノードＢは、自分のリソーススケジューリングアルゴリズムに基づき、該当ＵＥのためＴ＿ＷＡＩＴタイマー値を選択する。
【００４６】
ノードＢのＥ−ＤＣＨリソーススケジューリングアルゴリズムは、ノードＢの具体的な実現に基づく。考えるべき要素は、セルにおけるＨＳＵＰＡリソース状況とクライアント数と本セルＥ−ＤＣＨリンクの妨害抑制要求と本セルＥ−ＤＣＨリンクの隣接セルに対する妨害抑制要求とＵＥのスケジューリング優先度（該当値は、ＳＲＮＣから提供された無線積載のサービス品質要求ＱＯＳ属性から得られる）とを含む。
【００４７】
また、現在Ｅ−ＰＵＣＨの上がり方向同期保持メカニズムは未だに確定されていない。３ＧＰＰ  Ｒ４/Ｒ５バージョンにおいて、上がり方向ＤＰＣＨ（専用物理チャンネル）の同期保持は、ノードＢの、対応な下がり方向物理チャンネルにおける同期命令ＳＳによって制御される。Ｅ−ＰＵＣＨの上がり方向同期保持は、Ｅ−ＡＧＣＨチャンネルにおけるＳＳ命令によって制御されることが可能であり、Ｅ−ＡＧＣＨチャンネルはある時間帯において中断した後に、ＵＥは、下がり方向ＤＰＣＨ（あるとしたら）、又はＨＳ−ＳＣＣＨ（高速共用制御チャンネル）のような他の下がり方向チャンネルにおけるＳＳ命令を利用して、アップリンクの同期を調整することが可能である。共用可能なＳＳ命令がない場合、ＵＥは完全にＥ−ＡＧＣＨにおけるＳＳ命令に頼ることになる。ＵＥがＥ−ＰＵＣＨを送信した後に長い間にかけてＥ−ＡＧＣＨを受信していない場合、ＵＥはＥ−ＰＵＣＨの同期を失い、上がり方向同期プロセスを再び行う必要がある。同期制御が完全にノードＢにより取り扱われるので、ノードＢがＵＥのためにＴ＿ＷＡＩＴタイマー値を配置する時に、ＵＥのＥ−ＰＵＣＨ（増強型上がり方向物理チャンネル）リンクの同期保持メカニズムを考慮してもよい、ＵＥのＥ−ＰＵＣＨ上がり方向同期保持が完全にＥ−ＡＧＣＨチャンネルにおけるＳＳ命令に頼る時に、Ｔ＿ＷＡＩＴタイマー値の最大限は、上がり方向同期が要求するＳＳ命令の最大間隔時間になるべきである。
【００４８】
前記の方案２におけるＴ＿ＷＡＩＴタイマーパラメーター配置もテーブル１を参照するが、同時にＮＢＡＰメッセージと無線リソース制御ＲＲＣメッセージに現れる。ＮＢＡＰプロトコルにおいて、該当要素は、以下のプロセスの応答メッセージにおいて配置される：ＲＬ  Ｓｅｔｕｐ  Ｒｅｑｕｅｓｔ（無線リンク設立要求）、ＲＬ  Ａｄｄｉｔｉｏｎ  Ｒｅｑｕｅｓｔ（無線リンク増加要求）、ＲＬ  Ｒｅｃｏｎｆｉｇｕｒａｔｉｏｎ  Ｐｒｅｐａｒｅ/Ｒｅｑｕｅｓｔ（無線リンク再配置準備/要求）。ＲＲＣプロトコルにおいて、該当要素は、無線積載配置/再配置や、物理リソース配置/再配置に関するプロセスにおいて存在し、方案１とは一致である。
【００４９】
ステップ２：ＵＥは、ノードＢの授権情報に基づき、データーを送信する。直前のＥ−ＡＧＣＨ授権、即ちこの時点のＥ−ＡＧＣＨ授権に適用な最後の１つのＴＴＩのデーターが送信された後、送信される必要のあるデーターがまだある場合、ＵＥはタイマーＴ＿ＷＡＩＴを起動させる。
【００５０】
ＵＥが新たなデーターを送信する時に、Ｅ−ＤＣＨに対応するロジックチャンネルバッファー領域において送信される必要のあるデーターがまだあると、補助スケジューリング情報を携帯する可能性がある（ある事件トリガーメカニズムに従って補助スケジューリング情報の送信をトリガーすることが可能であり、具体的には、ＵＥ上位層により補助スケジューリング情報を送信するか否かを決定する。）。ノードＢは記憶し、常時に最新な補助スケジューリング情報を使用してスケジューリングを行うことになる。もっとも好ましくない状況は、直前の授権期間内に、ＵＥにより送信されたデーターは全て成功していない。再送の優先度が新たなデーターの送信より高いので、この時点にノードＢは再送グループのリソース授権を優先的に考慮すべきである。再送のリソースがないと、ノードＢは直前に受信された補助スケジューリング情報に従ってスケジューリングを行うことになる。
【００５１】
あるＵＥに対してノードＢがＥ−ＡＧＣＨを送信する頻度について、もっとも早い場合はＴＴＩ毎に送信することであるが、ＴＤ−ＳＣＤＭＡがリソース制限システムであり、Ｅ−ＡＧＣＨの頻度が遅い場合は多い。セルの妨害が深刻な場合、或いは混雑制御の必要により、ノードＢは一時に授権情報の送信を中断することもある。
【００５２】
ＵＥが直前のＥ−ＡＧＣＨ授権期間内に最後の１つのＴＴＩのデーターを送信した後に、この時点に伝送される必要のあるデーターがまだあると、タイマーＴ＿ＷＡＩＴを起動させる。一方では、ノードＢの次の授権を待つ。一方では、該当タイマーＴ＿ＷＡＩＴがＥ−ＰＵＣＨ上がり方向同期保持の極限である可能性もある。
【００５３】
ステップ３：タイマーＴ＿ＷＡＩＴがタイムオーバーする前に、ＵＥがサービングノードＢの授権情報を受信すると、該当タイマーＴ＿ＷＡＩＴをリセットして停止させ、授権内容に従って次の操作を行い、例えばステップ２に戻る。タイマーがタイムオーバーした後に、該当タイマーＴ＿ＷＡＩＴをリセットして停止させ、Ｅ−ＲＵＣＣＨ（増強型アップリンクランダムアクセス上がり方向制御チャンネル）のランダムアクセスを行う。
【００５４】
ＵＥがサービングノードＢの授権情報を受信した後に、前記のステップ２のプロセスに従い、１回のデーター送信プロセスを再起動する。タイマーＴ＿ＷＡＩＴがタイムオーバーし、即ち、サービングノードＢの授権情報を未だに受信していない旨を表す場合、上がり方向同期及びＥ−ＲＵＣＣＨのアクセスを行うことになる。この時点に該当タイマーＴ＿ＷＡＩＴをリセットして停止させる必要がある。即ち、本発明が提供するタイマーＴ＿ＷＡＩＴは、授権適用時間が終わった後に、ＵＥが上がり方向ランダムアクセスを待ち、スケジューリングリソースを申し込み続けることに必要な遅延時間である。
【００５５】
ＵＥがＥ−ＲＵＣＣＨのランダムアクセスを発する時に、システムにおける現有のＰＲＡＣＨ（物理ランダムアクセスチャンネル）ランダムアクセスプロセスに従ってアクセスを行う。Ｅ−ＲＵＣＣＨは競争衝突チャンネルであり、そのアクセスプロセスには非確定性がある。一定な時間以内にノードＢの授権を受信していないと、あるメカニズムによってデーターの送信の成功を確保することが可能である。例えば、周期性タイマー＋最大試し回数のメカニズム、或いは単なる周期性タイマーメカニズムを利用する。
【００５６】
周期性タイマー＋最大試し回数メカニズムにおいて、端末が１つ目のＥ−ＲＵＣＣＨアクセスを送信した後に、周期性タイマーＴ＿ＲＵＣＣＨを起動させてタイマーを起動させる。Ｅ＿ＲＵＣＣＨを周期的にトリガーし、Ｅ＿ＲＵＣＣＨを送信する度に、最大試し回数を超えるまたはノードＢの授権を受信するまで、カウンターに１を足す。クライアント端末は最大試し回数に達した後にノードＢの授権を受信していないと、クライアント端末上位層により次の動作を決定する。周期性タイマーＴ＿ＲＵＣＣＨの値と最大試し回数は、ネットワーク上位層により設置されることが可能である。
【００５７】
単なる周期性タイマーメカニズムにおいて、端末は最大試し回数の制限を受けず、ノードＢの授権を受信するまで、Ｅ＿ＲＵＣＣＨのランダムアクセスを周期的にトリガーする。
【００５８】
前記のＥ＿ＲＵＣＣＨランダムアクセスの信頼性制御方法は、端末バッファー領域データーが０から０ではない値になる時の初期ランダムアクセスプロセスにおいても適用する。
【００５９】
図３は本発明におけるＵＥのＥ−ＰＵＣＨ無線リンク配置プロセス及びデーター伝送プロセスの図である。ステップ２０１の前に、ＵＥとＳＲＮＣはＲＲＣ（無線リソース制御）接続を設立した。図３における具体的なプロセスについては以下のように説明する。
【００６０】
２０１：ＳＲＮＣは、受け入れ制御を介して、該当ＵＥのために増強型アップリンクを設立することが可能だと認知し、ＮＢＡＰプロトコルの無線リンク設立プロセス或いは無線リンク再配置プロセスによって、ノードＢに対し、ＵＥのためのＥ−ＰＵＣＨ無線リンクを設立することを要求する。それにおいて、ＨＳＵＰＡに関するパラメーター、例えば伝送チャンネルに関する情報や、Ｅ−ＤＣＨサービング無線リンク番号等を含む。この前に該当ＵＥために既に無線リンクを設立した場合、無線リンク再配置プロセスによってＨＳＵＰＡパラメーターの配置を行うことになる。
【００６１】
２０２：ノードＢは、配置パラメーターを受信し、該当セルの増強型上がり方向公共リソースプールから、該当ＵＥのためにＥ−ＡＧＣＨチャンネルとＥ−ＨＩＣＨチャンネルとＥ−ＲＮＴＩ（無線リンク仮標記）とを割り当て、ＮＢＡＰの無線リンク設立応答或いは無線リンク再配置応答によってＳＲＮＣにフィード・バックする。Ｔ−ＷＡＩＴタイマーがノードＢにより配置される時に、該当応答メッセージにおいて、ノードＢがＵＥのために選択したＴ＿ＷＡＩＴ値を含む。
【００６２】
２０３：ＳＲＮＣは、ＲＲＣプロトコルによって、Ｅ−ＤＣＨ伝送チャンネル配置情報と、Ｅ−ＰＵＣＨに関する情報と、Ｅ−ＡＧＣＨチャンネル情報と、Ｅ−ＨＩＣＨチャンネル情報等や、Ｔ＿ＷＡＩＴ情報等を有する無線積載設立命令をＵＥに対して送信する。
【００６３】
この前に無線積載設立プロセスが既にあった場合、無線積載再配置プロセスによって増強型上がり方向アクセスに関する配置を行うことになる。方案１を採用する場合、Ｔ＿ＷＡＩＴ値はＳＲＮＣによりＵＥのために選択したものである。方案２を採用する場合、Ｔ＿ＷＡＩＴ値はノードＢにより配置され、ＳＲＮＣによりＵＥへ転送されるものである。
【００６４】
２０４：ＵＥは、配置パラメーターを受信し、ネットワーク側へ応答メッセージをフィード・バックする。配置パラメーターに基づき、当面Ｅ−ＤＣＨ伝送サービスが利用可能であることを確定する。
【００６５】
２０５：ＵＥ  Ｅ−ＤＣＨに対応するロジックチャンネルバッファー領域におけるデーター量が０から０ではない値になる時に、ＵＥはＥ−ＲＵＣＣＨランダムアクセスプロセス発し、補助スケジューリング情報を携帯する。
【００６６】
２０６：ノードＢは、該当ＵＥのランダムアクセス要求を検出した後に、Ｅ−ＤＣＨを利用する競争ＵＥグループにＵＥを加え、この時点のリソース状況と、ＵＥのＱＯＳ属性と、ＵＥ補助スケジューリング情報等に基づき、該当ＵＥに対してスケジューリングを行い、適切なリソースを割り当てた後に、Ｅ−ＡＧＣＨチャンネルによってＵＥへ授権情報を送信する。
【００６７】
２０７：ＵＥは、Ｅ−ＡＧＣＨにおける授権情報を受信した後に、タイミングタイムｎＥ−ＡＧＣＨの後に、授権されたＥ−ＰＵＣＨにおいてデーターを送信する。ＵＥバッファー領域において伝送されるのを待っているデーターがまだある場合、補助スケジューリング情報もそれと共に送信されることになる。この時点のＴＴＩの後に授権のリソースがない、即ちこの時点のＴＴＩが直前一回の絶対授権に適用な最後の１つのＴＴＩである時に、ＵＥは伝送されるのを待っているデーターがまだある場合、ＵＥは、Ｅ−ＰＵＣＨにおいてこの時点のＴＴＩにおけるデーターを送信完了した後に、タイマーＴ＿ＷＡＩＴを起動させる。
【００６８】
２０８：ノードＢは、Ｅ−ＰＵＣＨチャンネルにおけるデーターをデコーディングし、Ｅ−ＨＩＣＨチャンネルにおいてＡＣＫ/ＮＡＣＫ情報をフィード・バックする。
【００６９】
ステップ２０７において、ＵＥがタイマーＴ＿ＷＡＩＴを起動させると、２つの可能な状況がある。
【００７０】
状況１：２０９：タイマーがタイムオーバーする前に、ＵＥがノードＢのＥ−ＡＧＣＨ授権情報を受信すると、該当タイマーをリセットして停止させ、ステップ２０７から繰り替え、データーの送信を続ける。
【００７１】
状況２：２１０：タイマーがタイムオーバーした時、ＵＥは、該当タイマーをリセットして停止させた後に、ステップ２１１を行い、即ち、Ｅ−ＲＵＣＣＨのランダムアクセスプロセスを起動させる。
【００７２】
ステップ２０９、２１０と２０８は並行することが可能である。
【００７３】
２１１：ＵＥは、周期性タイマーＴ＿ＲＵＣＣＨに従ってＥ＿ＲＵＣＣＨを周期的にトリガーする。トリガーする度に、トリガー回数、即ちカウンターの値が最大試し回数を超えるまたは直接にノードＢの授権を受信するまで、カウンターに１を足す。ノードＢの授権を受信した後に、２０７から繰り替える。カウンターは１つの具体的な実現方式であり、トリガー回数について記録できる限り、他の方式を利用してもよい。
【００７４】
実際の利用において、ステップ２１１の中、トリガー回数について記録せず、授権を獲得するまで、常時にＥ＿ＲＵＣＣＨを周期的にトリガーしてもよいことは言うまでもないことである。
【００７５】
本発明は、ＵＥとＮｏｄｅ  ＢとＳＲＮＣとを含む、増強型アップリンクランダムアクセスを制御できる時分割同期符号分割多重接続システムも提供する。
【００７６】
前記のＳＲＮＣは、受け入れ制御を介して、接続を発したＵＥのために増強型アップリンクを設立することが可能だと認知する時に、ＮＢＡＰプロトコルの無線リンク設立プロセスによって、ノードＢがＵＥのためにＥ−ＰＵＣＨ無線リンクを設立することを要求するに利用される。それにおいて、ＨＳＵＰＡに関するパラメーター、例えば伝送チャンネルに関する情報や、Ｅ−ＤＣＨサービング無線リンク番号等を含む。ＵＥが既に接続状態であり、この前に該当ＵＥに対して既に無線リンクを設立した場合、無線リンク再配置プロセスによってＨＳＵＰＡパラメーターの配置を行うことになる。また、ノードＢによりフィード・バックされた応答を受信した後に、ＲＲＣプロトコルによって、Ｅ−ＤＣＨ伝送チャンネル配置情報と、Ｅ−ＰＵＣＨに関する情報と、Ｅ−ＡＧＣＨチャンネル情報と、Ｅ−ＨＩＣＨチャンネル情報等や、Ｔ＿ＷＡＩＴ情報等を有する無線積載設立命令をＵＥに対して送信するためにも利用される。この前に無線積載設立プロセスが既にあった場合、無線積載再配置プロセスによって増強型上がり方向アクセスに関する配置を行うことになる。ノードＢによりフィード・バックされた応答においてタイマーＴ＿ＷＡＩＴ情報があると、ＳＲＮＣは、前記の無線積載設立或いは無線積載再配置命令において該当情報をクライアント端末に転送するためのみに利用される。さもなければ、ＳＲＮＣは、セルにおける増強型アップリンクのリソース数と統計クライアント数とに基づき、前記のタイマーＴ＿ＷＡＩＴ値を設置して、該当値を前記の無線積載設立或いは無線積載再配置命令に含んでＵＥへ送信するためにも利用される。
【００７７】
前記のノードＢは、前記のＳＲＮＣにより送信された配置パラメーターを受信し、該当セルの増強型上がり方向公共リソースプールから、接続を発したＵＥのためにＥ−ＡＧＣＨチャンネルとＥ−ＨＩＣＨチャンネルとＥ−ＲＮＴＩ（無線リンク仮標記）とを割り当て、ＮＢＡＰの無線リンク設立応答或いは無線リンク再配置応答によってＳＲＮＣにフィード・バックするために利用される。タイマーＴ−ＷＡＩＴがノードＢにより配置される時に、前記のノードＢは、接続を発したＵＥのためにタイマーＴ−ＷＡＩＴ値を選択して、ＳＲＮＣにフィードバックされる応答メッセージに携帯するためにも利用される。前記のノードＢは、この時点のリソース状況と、ＵＥのＱＯＳ属性と、ＵＥ補助スケジューリング情報等に基づき、該当ＵＥに対してスケジューリングを行うと共に、ＵＥのために適切なリソースを割り当てた後に、Ｅ−ＡＧＣＨチャンネルによってＵＥへ授権情報を送信するためにも利用される。前記のノードＢは、Ｅ−ＰＵＣＨチャンネルにおけるUEが発するデーターをデコーディングし、相応的にＥ−ＨＩＣＨチャンネルにおいてＡＣＫ/ＮＡＣＫ情報をＵＥへフィード・バックする。
【００７８】
前記のＵＥは、１つのタイマーＴ＿ＷＡＩＴを含む。前記のＵＥは、接続を発するために利用され、ＳＮＲＣにより送信された配置パラメーターを受信した後に、ネットワーク側へ応答メッセージをフィード・バックし、その後、配置パラメーターに基づき、この時点のＥ−ＤＣＨ伝送サービスが利用可能であることを確定し、それにおけるＴ＿ＷＡＩＴ値に基づき、タイマーを配置するために利用される。また、ＵＥ  Ｅ−ＤＣＨに対応するロジックチャンネルバッファー領域におけるデーター量が０から０ではない値になる時に、Ｅ−ＲＵＣＣＨランダムアクセスプロセスを発し、補助スケジューリング情報を携帯するためにも利用される。また、Ｅ−ＡＧＣＨ中の授権情報を受信した後に、タイミングタイムｎＥ−ＡＧＣＨの後に、授権されたＥ−ＰＵＣＨにおいてデーターを送信するためにも利用される。ＵＥバッファー領域において伝送されるのを待っているデーターがまだある場合、補助スケジューリング情報もそれと共に送信されることになる。この時点のＴＴＩの後に授権のリソースがない、即ちこの時点のＴＴＩが直前の絶対授権に適用な最後の１つのＴＴＩである時に、ＵＥは伝送されるのを待っているデーターがまだある場合、ＵＥは、Ｅ−ＰＵＣＨにおいてこの時点のＴＴＩにおけるデーターを送信完了した後に、タイマーＴ＿ＷＡＩＴを起動させる。また、タイマーがタイムオーバーする前にノードＢのＥ−ＡＧＣＨ授権情報を受信する時に、該当タイマーをリセットして停止させ、また、前記のタイマーＴ＿ＷＡＩＴがタイムオーバーした後に、前記のタイマーＴ＿ＷＡＩＴをリセットして停止させ、その後、Ｅ−ＲＵＣＣＨのランダムアクセスプロセスを発するためにも利用される。
【００７９】
前記のＵＥがＥ−ＲＵＣＣＨのランダムアクセスプロセスを発することとは、ＵＥは周期性タイマーＴ＿ＲＵＣＣＨに従ってＥ＿ＲＵＣＣＨを周期的にトリガーし、トリガー回数、即ちタイマーの値が最大試し回数を超えるまたはノードＢの授権を受信するまで、トリガーする度に、カウンターに１を足すことである。実際な利用において、トリガー回数について記録せず、授権を獲得するまで、常時にＥ＿ＲＵＣＣＨを周期的にトリガーしてもよいことは、言うまでもないことである。タイマーは１つの具体的な実現方式であり、トリガー回数について記録できる限り、他の方式を利用してもよい。
【００８０】
本発明は、ネットワーク側のＥ−ＤＣＨリソースに対する把握能力に基づき、ＵＥが１回の授権の後にランダムアクセスを発する時間遅延を制御し、無用なランダムアクセスを防ぎ、システムリソースを適切に利用させると共に、ランダムアクセスの衝突性を考慮し、ランダムアクセスの信頼性伝送方法を提供した。
【００８１】
なお、本発明は他に幾つかの実施例がある。本発明の要旨を逸脱しない範囲で、本分野の当業者ならば本発明に基づき相応な変更と変形が色々できるが、その相応な変更と変形は本発明における請求の範囲に属すべきである。
【産業上の利用可能性】
【００８２】
本発明は、ネットワーク側のＥ−ＤＣＨリソースに対する把握能力に基づき、ＵＥが１回の授権の後に増強型アップリンクランダムアクセスを発する時間遅延を制御し、無用なランダムアクセスを防ぎ、リソースを節約すると共に、増強型アップリンクランダムアクセスの信頼性メカニズムを提供する。本方法によれば、システムリソースを適切に利用でき、システム動作効率を大幅に向上させる。
【図１】
2009545216.tif 000004
【図２】
2009545216.tif 000005
【図３】
2009545216.tif 000006
【国際調査報告】
2009545216.tif 000007
2009545216.tif 000008
2009545216.tif 000009
2009545216.tif 000010